(57)【要約】【課題】  光ディスクドライブユニットのフレームに対する制御基板の位置を変更し、制御基板に実装した出力端子などを奥行き寸法の異なる筐体の背面板に接触できるようにする。【解決手段】  フレーム１８に係合部として位置決めピン２５と係止爪２７とを形成し、その位置決めピン２５と係止爪２７の係合受け部として制御基板１７には位置決め孔３０,３０Ａと係止孔３１,３１Ａ及びねじ３２の挿通孔３３,３３Ａを前後に間隔をおいて２組設ける。位置決めピン２５、係止爪２７に位置決め孔３０,３０Ａと係止孔３１,３１Ａの何れかを係合させるかを選択することで、フレーム１８に対する制御基板１７の取付け位置を変更できる。これにより、制御基板１７に実装した出力端子３５が筐体１の背面板３に強く突き当たって損傷したり、逆に出力端子３５と背面板３との間に隙間が生じない。【選択図】        図２
2006172673.tif 000002
【特許請求の範囲】
【請求項１】
筐体内に少なくとも光ディスクドライブユニットと、この光ディスクドライブユニットの制御基板とを収納し、該制御基板を光ディスクドライブユニットのフレームの上面に水平に配置するとともに、制御基板に形成する係合受け部を前記フレームに形成する係合部と係合させて前記フレームに対して前記制御基板を位置決めするように構成した映像記録再生装置において、前記制御基板には、前後方向に間隔をおいて複数組の係合受け部が並設され、前記係合部に対して複数ある係合受け部の何れかを選択して係合することによって前記フレームに対する制御基板の取付け位置を変更可能としたことを特徴とする映像記録再生装置。
【請求項２】
前記制御基板の後端部に出力端子を接続し、前記フレームの係合部に対する前記制御基板の係合受け部を選択することによって奥行き寸法の異なる複数の筐体の背面板に前記出力端子が当接可能となるように構成したことを特徴とする請求項１記載の映像記録再生装置。
【請求項３】
前記フレームは、左右一対の側壁部と、その側壁部の上端部の間に架設したクランパ支持部とを備え、前記フレームの上面に、前記係合部としてねじ孔と位置決めピンを有する位置決めリブを突出形成するとともに、前記クランパ支持部に係止爪を形成し、前記制御基板には前記係合受け部として前記位置決めピンと係止爪と係合可能な位置決め孔と係止孔を形成したことを特徴する請求項１又は２記載の映像記録再生装置。
【請求項４】
筐体内に光ディスクドライブユニットとビデオカセットドライブユニットとが収納されていることを特徴とする請求項１〜３の何れか１項に記載の映像記録再生装置。
【発明の詳細な説明】
【技術分野】
【０００１】
本発明は、光ディスクドライブユニットのフレームの上面に制御基板を水平に配置して固定した映像再生機器、特に奥行き寸法の異なる筐体に光ディスクドライブユニットを配置した際、奥行き寸法の異なる筐体の背面板に合わせて制御基板の取付け位置を変更するのに好適な映像再生機器に関する。
【背景技術】
【０００２】
近年、光ディスク等の大容量の記録再生装置が実用化され、このような光ディスクを利用した光ディスクドライブユニットと従来のビデオカセット記録再生装置とを備えた複合映像再生装置として、本願出願は、特許文献１で光ディスクドライブユニットとビデオカセットドライブユニットとを並設するとともに、これら各ドライブユニットを制御するＤＶＤ用の制御基板やＶＣＲ用制御基板及びこれらの基板に電源を供給する電源用回路基板などを筐体内に収納した複合映像再生装置を提案している。この特許文献１で示す複合映像再生装置においては、ＶＣＲ用制御基板と電源用回路基板とを一体化したメイン基板をビデオカセットドライブユニットと筐体の底面との間に配置し、光ディスクドライブユニットと筐体の底面との間にＤＶＤ用の制御基板を配置しているが、例えば光ディスクドライブユニットにおけるピックアップレンズの調整作業などといったメンテナンスの作業性などを考慮し、本願出願人は、ＤＶＤ用の制御基板を光ディスクドライブユニットのフレームの上面に平行に組み付けた構造の映像再生装置を特願２００４−１６１５７９号などで提案している。
【０００３】
【特許文献１】特開２００４−２８０９７６号公報
【発明の開示】
【発明が解決しようとする課題】
【０００４】
ところで、光ディスクドライブユニットとビデオカセット記録再生装置とを備えた複合映像再生装置を海外向けとして出荷する場合、実質同様な性能を備えた機種であっても、出荷する地域、例えば、欧州向けの仕様と米国向け仕様とでは、筐体の奥行き寸法が異なる。すなわち、例えばイギリスとフランスでは音声多重方式が異なり、ドイツとフランスではカラー方式などが異なることから、欧州向けの仕様では、メイン基板に実装するＩＣを欧州各国に対応させて変更する、あるいはメイン基板の回路構成を変更するなどして欧州各国の仕様に対応できるように構成している。一方、米国向けの仕様では、一つの放送方式に対応すればよいことから、欧州向けの仕様では米国向けの仕様よりメイン基板が大型化する。これに伴い、欧州向けの仕様では複合映像再生装置の筐体の奥行きが大きく成らざるを得ない。また、近年、光ディスクドライブユニットにおいて、出力端子として1本のケーブルで映像・音声・制御信号を合わせて送受信可能なＨＤＭＩ（High  Definition  Multimedia  Interface）規格の出力端子が用いられ、このようなＨＤＭＩ規格の出力端子は、ノイズの影響を最小限に抑えるために、無駄なパターンの引き回しを極力避けるなどの目的でＤＶＤ用の制御基板に直接実装するようにしている。このように、光ディスクドライブユニットのフレームの上面にＤＶＤ用の制御基板を組み付け、その制御基板に出力端子を組み付ける場合、制御基板に実装した出力端子を筐体の背面板に設けた開口部に臨ませて外部に導出することから、前述したように仕向け地によって筐体の奥行き寸法が変わってしまうと、奥行きの大きい欧州向けの筐体サイズに合わせて光ディスクドライブユニットのフレームのＨＤＭＩ規格の出力端子を備えたＤＶＤ用の制御基板を位置決した場合、奥行きの小さい米国向けの筐体に組み付けた場合、制御基板が筐体の背面板と干渉して制御基板の取付けが困難となり、逆に米国向けの筐体に合わせてＤＶＤ用の制御基板を位置決めすると、欧州向けの仕様では出力端子と筐体の背面板との間に間隔があいて出力端子への接続に不都合が生じてしまう。このため、欧州向けの仕様と米国向けの仕様とではフレームに対するＤＶＤ用の制御基板の位置を変えなどして対応していため、各国に仕様に合わせてＤＶＤ用の制御基板をそれぞれ形成する必要があり、ＤＶＤ用の制御基板の共通化が図れずコスト的の上昇を招く、といった課題を有している。
【０００５】
本発明は、上記課題に鑑みてなされたもので、光ディスクドライブユニットのフレームに対する制御基板の位置を簡単かつ容易に変更して制御基板に実装した出力端子などを奥行き寸法の異なる筐体の背面板に接触できることができる映像再生機器を提供することを目的とする。
【課題を解決するための手段】
【０００６】
本発明の請求項１の映像記録再生装置は、筐体内に少なくとも光ディスクドライブユニットと、この光ディスクドライブユニットの制御基板とを収納し、該制御基板を光ディスクドライブユニットのフレームの上面に水平に配置するとともに、制御基板に形成する係合受け部を前記フレームに形成する係合部と係合させて前記フレームに対して前記制御基板を位置決めするように構成した映像記録再生装置において、前記制御基板には、前後方向に間隔をおいて複数組の係合受け部が並設され、前記係合部に対して複数ある係合受け部の何れかを選択して係合することによって前記フレームに対する制御基板の取付け位置を変更可能としたことを特徴とする。
【０００７】
請求項１の構成により、フレームに形成する係合部に対して制御基板に形成する係合受け部の位置を変えることによって、フレームに組み付けられる制御基板の取付け位置を前後方向に変更することが可能となる。
【０００８】
本発明の請求項２の映像記録再生装置は、請求項１記載の映像記録再生装置において、前記制御基板の後端部に出力端子を接続し、前記フレームの係合部に対する前記制御基板の係合受け部を選択することによって奥行き寸法の異なる複数の筐体の背面板に前記出力端子が当接可能となるように構成したことを特徴とする。
【０００９】
請求項２の構成により、輸出する仕向け地によって筐体の奥行き寸法が異なる場合であっても、フレームに形成する係合部に対する制御基板に形成する係合受け部を前後方向に選択することで、筐体の奥行き寸法に拘らず制御基板の後端部に固定された出力端子が筐体の背面板に当接させて外部に導出させることが可能となる。
【００１０】
本発明の請求項３の映像記録再生装置は、請求項１又は２記載の映像記録再生装置において、前記フレームは、左右一対の側壁部と、その側壁部の上端部の間に架設したクランパ支持部とを備え、前記フレームの上面に、前記係合部としてねじ孔と位置決めピンを有する位置決めリブを突出形成するとともに、前記クランパ支持部に係止爪を形成し、前記制御基板には前記係合受け部として前記位置決めピンと係止爪と係合可能な位置決め孔と係止孔を形成したことを特徴する。
【００１１】
請求項３の構成により、フレームに形成する位置決めピンと係止爪に係合させる位置決め孔と係止孔を前後方向にずらすことで、フレームに対する制御基板の取付け位置を前後方向に変更することが可能となる。
【００１２】
本発明の請求項４の映像記録再生装置は、請求項１〜３の何れか１項に記載の映像記録再生装置において、筐体内に光ディスクドライブユニットとビデオカセットドライブユニットとが収納されていることを特徴とする。
【００１３】
請求項４の構成により、光ディスクドライブユニットとビデオカセットドライブユニットを備えた複合型の映像記録再生装置においては、輸出する仕向け地の仕様などによって、ビデオカセットドライブユニットの制御や光ディスクドライブユニットやビデオカセットドライブユニットに電源を供給する電源基板を備えたメイン基板の大きさが異なり、その結果、メイン基板の大きさに合わせて筐体の奥行き寸法が異なるが、フレームに対する制御基板の取付け位置を前後方向に変更することで、筐体の奥行き寸法が異なる場合であっても光ディスクドライブユニットの制御基板を共通化することが可能となる。
【発明の効果】
【００１４】
本発明の請求項１の映像記録再生装置によれば、筐体内に少なくとも光ディスクドライブユニットと、この光ディスクドライブユニットの制御基板とを収納し、該制御基板を光ディスクドライブユニットのフレームの上面に水平に配置するとともに、制御基板に形成する係合受け部を前記フレームに形成する係合部と係合させて前記フレームに対して前記制御基板を位置決めするように構成した映像記録再生装置において、前記制御基板には、前後方向に間隔をおいて複数組の係合受け部が並設され、前記係合部に対して複数ある係合受け部の何れかを選択して係合することによって前記フレームに対する制御基板の取付け位置を変更可能としたものであるから、フレームに形成する係合部に対して制御基板に形成する係合受け部の位置を変えるだけで、フレームに組み付けられる制御基板の取付け位置を前後方向に簡単に変更することができる。
【００１５】
本発明の請求項２の映像記録再生装置によれば、請求項１記載の映像記録再生装置において、前記制御基板の後端部に出力端子を接続し、前記フレームの係合部に対する前記制御基板の係合受け部を選択することによって奥行き寸法の異なる複数の筐体の背面板に前記出力端子が当接可能となるように構成したものであるから、筐体の奥行き寸法に合わせてフレームに形成する係合部に対する制御基板に形成する係合受け部を前後方向に選択することで、筐体の奥行き寸法に拘らず制御基板の後端部に固定された出力端子を筐体の背面板に確実に当接させて外部に導出させることができる。
【００１６】
本発明の請求項３の映像記録再生装置によれば、請求項１又は２記載の映像記録再生装置において、前記フレームは、左右一対の側壁部と、その側壁部の上端部の間に架設したクランパ支持部とを備え、前記フレームの上面にねじ孔と位置決めピンを有する位置決めリブを突出形成するとともに、前記クランパ支持部に係止爪を形成し、前記制御基板には前記位置決めピンと係止爪と係合可能な位置決め孔と係止孔を形成し、その係止爪と前記位置決めリブによって前記係合部を構成し、前記位置決め孔と係止孔によって前記係合受け部を構成したものであるから、フレームに形成する位置決めピンと係止爪に係合させる位置決め孔と係止孔を前後方向にずらすだけで、フレームに対する制御基板の取付け位置を前後方向に変更することが可能となる。
【００１７】
本発明の請求項４の映像記録再生装置によれば、請求項１〜３の何れか１項に記載の映像記録再生装置において、筐体内に光ディスクドライブユニットとビデオカセットドライブユニットとが収納されているから、輸出する仕向け地の仕様などによって、筐体の奥行き寸法が異なる場合であっても、フレームに対する制御基板の取付け位置を前後方向に変更するだけで、光ディスクドライブユニットの制御基板を共通化することができる。
【発明を実施するための最良の形態】
【００１８】
以下、本発明の具体的実施例について、添付図面を参照しながら説明する。なお、以下の実施態様は、本発明を具体化する際の一形態であって、本発明をその範囲内に限定するためのものではない。
【００１９】
本実施例では、映像記録再生機器としてビデオカセットドライブユニットと光ディスクドライブユニットを並設した複合型の映像記録再生機器に適用した場合を例にして説明する。図１は光ディスクドライブユニットの平面図、図２は光ディスクドライブユニットと制御基板との分解斜視図、図３は映像記録再生機器の分解斜視図、図４及び図５は光ディスクドライブユニットと制御基板との組み付け状態を示す断面図であり、図４は光ディスクドライブユニットに対する制御基板の取付け位置を前側とした状態を示し、図５は光ディスクドライブユニットに対する制御基板の取付け位置を後前側とした状態を示している。同図に示すように、筐体１の内部にビデオカセットドライブユニット１０と光ディスクドライブユニット１５を並設している。筐体１は、底面板２の後縁から背面板３を折曲した下部フレーム４と、この下部フレーム４を覆うコ字状のカバー５と、下部フレーム４の前面にねじ止めされる前面パネル６とで構成され、前記前面パネル６にビデオカセットの挿入部７及び光ディスクの挿入部８とをほぼ同一高さで並設するとともに、前面パネル６には表示部９や各種操作スイッチ９Ａを配置している。また、図示はしないが筐体１の内部には、ビデオカセットドライブユニット１０の制御回路や後述する光ディスクドライブユニット１５の制御基板に電源を供給する電源回路などを備えたメイン基板が配置され、そのメイン基板上のビデオカセットドライブユニット１０と光ディスクドライブユニット１５が固定されている。
【００２０】
前記光ディスクドライブユニット１５は、ディスクを載置して該ディスクを図示しないターンテーブルに搬送するトレイ１６を備えるとともに、図示はしないがディスクに記憶された映像信号や音声信号などをピックアップレンズで読み取る際、ディスクを回転駆動するターンテーブルとそのターンテーブルと共にディスクを挟持するクランパ２１及び光ディスクドライブユニット１５の駆動制御及び音声、映像信号を制御する制御基板１７などを備えており、これら構成部品を光ディスクドライブユニット１５のフレーム１８に組付けて一体的にユニット化している。
【００２１】
前記フレーム１８は合成樹脂を一体成形して構成されており、水平方向に延びる支持枠１９と、この支持枠１９の左右両側に一体形成する側壁部２０,２０とを有し、前記支持枠１９に形成する開口部に臨ませてピックアップレンズやこれらの駆動機構を固定するとともに、側壁部２０の内面に形成する案内機構によって前記トレイ１６をフレーム１８に対して前後方向に移動するように構成している。また、ディスクを回転駆動するターンテーブルは前記フレーム１８のほぼ中央部に配置され、このターンテーブルの上方に位置して前記フレーム１８の側壁部２０の間にクランパ２１を組み付けた帯板状のクランパ支持部２２を一体的に架設している。
【００２２】
前記制御基板１７は、図２などで示すように、前記左右の側壁部２０の上面に掛け渡して前記フレーム１８に固定されており、前記フレーム１８の各側壁部２０,２０及びクランパ支持部２２の上面には前記制御基板１７を載置するために複数の載置ピン２４が突設されている。また、各側壁部２０,２０上には係合部として制御基板１７を固定する位置決めピン２５とねじ孔２６を有する左右一対の位置決めリブ２３が形成され、さらに、前記クランパ支持部２２に位置決めするＬ型の係止爪２７が一体形成されている。一方、固定される制御基板１７には係合受け部として前記位置決めピン２５と係止爪２７と係合する位置決め孔３０,３０Ａと係止孔３１,３１Ａと前記ねじ孔２６と対応するねじ３２の挿通孔３３,３３Ａが前後に間隔をおいて並設されている。すなわち、制御基板１７は２組の係止孔３１,３１Ａと位置決め孔３０,３０Ａ及びねじ３２の挿通孔３３,３３Ａが前後方向にずれて並設され、前側に位置する位置決め孔３０Ａと係止孔３１Ａを位置決めピン２５と係止爪２７に係合させて挿通孔３３Ａからねじ孔２６にねじ３２を回し締めして制御基板１７を固定することによって、制御基板１７はフレーム１８に対して前側に固定され、一方、後ろ側に位置する位置決め孔３０と係止孔３１を位置決めピン２５と係止爪２７に係合させて挿通孔３３からねじ孔２６にねじ３２を回し締めして制御基板１７を固定することによって、制御基板１７はフレーム１８に対して後ろ側に固定される。
【００２３】
以上のように、フレーム１８に係合部として位置決めピン２５と係止爪２７とを形成し、係合受け部として制御基板１７に位置決め孔３０,３０Ａと係止孔３１,３１Ａ及びねじ３２の挿通孔３３,３３Ａを前後に間隔をおいて２組設けることで、これら位置決めピン２５,係止爪２７に位置決め孔３０,３０Ａと係止孔３１,３１Ａの何れかを係合させるかでフレーム１８に対する制御基板１７の取付け位置を前後方向に変更することが可能となる。すなわち、制御基板１７に裏面側にはＨＤＭＩ規格の出力端子３５が実装され、この出力端子３５は筐体１の背面板３に突き当てて背面板３に形成する開口部（図示しない）に臨ませて出力端子３５を外部に導出する必要があるが、筐体１の奥行き寸法は、出荷する仕向け地、例えば、米国向けの仕様と、欧州向けの仕様とでは筐体１の奥行き寸法が異なり、欧州向けの仕様の方がメイン基板の大きさなどに起因して筐体１の奥行き寸法が大きくなる。このため、米国向けなどの筐体１の奥行き寸法に小さい場合は、図４に示すように、制御基板１７の後ろ側に形成する位置決め孔３０に位置決めリブ２３から突設した位置決めピン２５を挿入し、係止孔３１にクランパ支持部２２に形成するＬ型の係止爪２７を引っ掛けてフレーム１８に対して制御基板１７を位置決めした状態で位置決めリブ２３に形成するねじ孔２３に制御基板１７の挿通孔３３に通したねじ３２を締め付けてフレーム１８に制御基板１７を固定する。一方、欧州向けなどの筐体１の奥行き寸法に大きい筐体１の場合は、図５に示すように、制御基板１７の後ろ側に形成する位置決め孔３０Ａに位置決めリブ２３から突設した位置決めピン２５を挿入し、係止孔３１Ａにクランパ支持部２２に形成するＬ型の係止爪２７を引っ掛けてフレーム１８に対して制御基板１７を位置決めした状態で位置決めリブ２３に形成するねじ孔２３に制御基板１７の挿通孔３３Ａに通したねじ３２を締め付けてフレーム１８に制御基板１７を固定する。このように、筐体１の奥行き方向のサイズに合わせて位置決めピン２５、係止爪２７に対して位置決め孔３０,３０Ａと係止孔３１,３１Ａの何れかを選択してフレーム１８に対する制御基板１７の取付け位置を変更することによって、制御基板１７に実装する出力端子３５を筐体１の背面板３に確実に当接させることができる。また、位置決めピン２５、係止爪２７に対して位置決め孔３０,３０Ａと係止孔３１,３１Ａの何れかを選択するだけでフレーム１８に対する制御基板１７の取付け位置を簡単に変更することができ、組み付け作業も容易である。さらに、仕向け地の仕様によって筐体１の奥行き寸法などが異なる場合であっても、光ディスクドライブユニット１５を制御する制御基板１７を共通化することができるため、汎用性にも優れるとともに、部品を共通化できるので製造コストを削減することができる。
【００２４】
以上、本発明の実施例について詳述したが、本発明は、前記実施例に限定されるものではなく、本発明の要旨の範囲内で種々の変形実施が可能である。例えば、前記実施例では、光ディスクドライブユニットとディスクドライブユニットを並設した複合型の映像記録再生機器を示したが、必ずしも光ディスクドライブユニットとディスクドライブユニットを備える必要はなく、単体の光ディスクドライブユニットを備えた記録再生機器であってもよい。さらに、フレームに対する制御基板の位置決め構造なども前記実施例に限定されるものではなく、適宜選定すればよい。また、係合受部として２組の位置決め孔３０,３０Ａと係止孔３１,３１Ａとを設けた例を示したが、２組以上設けてもよい。さらに、係合部と係合受け部の形状や位置なども前記実施例に限定されるものでなく、適宜選定すればよい。
【図面の簡単な説明】
【００２５】
【図１】本発明の光ディスクドライブユニットの平面図である。
【図２】同上、光ディスクドライブユニットと制御基板との分解斜視図である。
【図３】同上、光ディスクドライブユニットの分解斜視図である。
【図４】同上、制御基板を組み付けた光ディスクドライブユニットの断面図である。
【図５】同上、図４の状態から制御基板の取付け位置を後側にずらした状態を示す制御基板を組み付けた光ディスクドライブユニットの断面図である。
【符号の説明】
【００２６】
１    筐体
３    背面板
１０  ビデオカセットドライブユニット
１５  光ディスクドライブユニット
１７  制御基板
２０  側壁部
２２  クランパ支持部
２３  位置決めリブ
２５  位置決めピン（係合部）
２７  係止爪（係合部）
３０,３０Ａ  位置決め孔（係合受部）
３１,３１Ａ  係止孔（係合受部）
３５  出力端子
【図１】
2006172673.tif 000003
【図２】
2006172673.tif 000004
【図３】
2006172673.tif 000005
【図４】
2006172673.tif 000006
【図５】
2006172673.tif 000007